【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  原稿の画像情報をリニアイメージセンサー上に結像させるための画像読取用の結像レンズにおいて、
該結像レンズは、該結像レンズ内に絞りを有し、
該結像レンズを構成する複数のレンズ面のうち該絞りと対向しない少なくとも一面は光軸に対して回転非対称な屈折力を有し、
該回転非対称な屈折力を備えたレンズ面の該結像レンズの光軸との交点を原点とし、該リニアイメージセンサーの読取方向ｙの位置座標をｙとしたとき、
該回転非対称な屈折力を備えたレンズ面の該読取方向ｙの位置座標yにおける母線方向の曲率半径をＲ（ｙ）、該回転非対称な屈折力を備えたレンズ面の該読取方向の位置座標ｙにおける子線方向の曲率半径をｒ（ｙ）とすると、
該読取方向の位置座標ｙが０から最軸外主光線の通過位置ｙ´までの範囲にあるとき、
【数１】
2000171705.tif 000001
但し、
ｆd ：該結像レンズの全系のｄ線での焦点距離
Ｎd ：該回転非対称な屈折力を備えたレンズの材料のｄ線についての屈折率
なる条件を満足することを特徴とする結像レンズ。
【請求項２】  前記曲率半径Ｒ（ｙ）は前記読取方向の位置座標ｙが０から最軸外主光線の通過位置ｙ´までの間において
【数２】
2000171705.tif 000002
なる条件を満足することを特徴とする請求項１に記載の結像レンズ。
【請求項３】  前記曲率半径Ｒ（ｙ）と前記曲率半径ｒ（ｙ）は光軸上で一致することを特徴とする請求項１又は２に記載の結像レンズ。
【請求項４】  請求項１乃至３のいずれか一項記載の結像レンズと、前記原稿が載置される原稿台と、照明光源と、該照明光源からの光束で照明した原稿の画像情報が該結像レンズを介して結像されるリニアイメージセンサーと、を有することを特徴とする画像読取装置。
【請求項５】  原稿の画像情報をリニアイメージセンサー上に結像させるための画像読取用の結像レンズにおいて、
該結像レンズは、該結像レンズ内に絞りを有し、
該結像レンズを構成する複数のレンズ面のうち該絞りと対向しない少なくとも一面は光軸に対して回転非対称な屈折力を有し、
該回転非対称な屈折力を備えたレンズ面の該結像レンズの光軸との交点を原点とし、光軸方向ｘの位置座標をｘ、該リニアイメージセンサーの読取方向ｙの位置座標をｙ、該光軸方向と該読取方向とに直交する方向ｚの位置座標をｚとしたとき、
該回転非対称な屈折力を備えたレンズ面のｘｙ断面上の該読取方向の位置座標yにおける曲率半径をＲ（ｙ）、ｘｙ平面と直交し、該読取方向の位置座標ｙにおける該回転非対称な屈折力を備えたレンズ面のｘｙ断面形状と垂直な方向の曲率半径をｒ（ｙ）とすると、
該読取方向の位置座標ｙが０から最軸外主光線の通過位置ｙ´までの範囲にあるとき、
【数３】
2000171705.tif 000003
但し、
ｆｄ  ：該結像レンズの全系のｄ線での焦点距離
Ｎｄ  ：該回転非対称な屈折力を備えたレンズの材料のｄ線についての屈折率
なる条件を満足することを特徴とする結像レンズ。
【請求項６】  前記曲率半径Ｒ（ｙ）は前記読取方向の位置座標ｙが０から最軸外主光線の通過位置ｙ´までの間において
【数４】
2000171705.tif 000004
なる条件を満足することを特徴とする請求項５に記載の結像レンズ。
【請求項７】  前記曲率半径Ｒ（ｙ）と前記曲率半径ｒ（ｙ）は光軸上で一致することを特徴とする請求項５又は６に記載の結像レンズ。
【請求項８】  請求項５乃至７のいずれか一項記載の結像レンズと、前記原稿が載置される原稿台と、照明光源と、該照明光源からの光束で照明した原稿の画像情報が該結像レンズを介して結像されるリニアイメージセンサーと、を有することを特徴とする画像読取装置。
【手続補正２】
【補正対象書類名】明細書
【補正対象項目名】００１２
【補正方法】変更
【補正の内容】
【００１２】
【課題を解決するための手段】
請求項１の発明の結像レンズは、原稿の画像情報をリニアイメージセンサー上に結像させるための画像読取用の結像レンズにおいて、
該結像レンズは、該結像レンズ内に絞りを有し、
該結像レンズを構成する複数のレンズ面のうち該絞りと対向しない少なくとも一面は光軸に対して回転非対称な屈折力を有し、
該回転非対称な屈折力を備えたレンズ面の該結像レンズの光軸との交点を原点とし、該リニアイメージセンサーの読取方向ｙの位置座標をｙとしたとき、
該回転非対称な屈折力を備えたレンズ面の該読取方向ｙの位置座標yにおける母線方向の曲率半径をＲ（ｙ）、該回転非対称な屈折力を備えたレンズ面の該読取方向の位置座標ｙにおける子線方向の曲率半径をｒ（ｙ）とすると、
該読取方向の位置座標ｙが０から最軸外主光線の通過位置ｙ´までの範囲にあるとき、
【数５】
2000171705.tif 000005
但し、
ｆd ：該結像レンズの全系のｄ線での焦点距離
Ｎd ：該回転非対称な屈折力を備えたレンズの材料のｄ線についての屈折率
なる条件を満足することを特徴としている。
【手続補正３】
【補正対象書類名】明細書
【補正対象項目名】００１３
【補正方法】変更
【補正の内容】
【００１３】
請求項２の発明は請求項１の発明において、前記曲率半径Ｒ（ｙ）は前記読取方向の位置座標ｙが０から最軸外主光線の通過位置ｙ´までの間において
【数６】
2000171705.tif 000006
なる条件を満足することを特徴としている。
【手続補正４】
【補正対象書類名】明細書
【補正対象項目名】００１４
【補正方法】変更
【補正の内容】
【００１４】
請求項３の発明は請求項１又は２の発明において、前記曲率半径Ｒ（ｙ）と前記曲率半径ｒ（ｙ）は光軸上で一致することを特徴としている。
【手続補正５】
【補正対象書類名】明細書
【補正対象項目名】００１５
【補正方法】変更
【補正の内容】
【００１５】
請求項４の発明の画像読取装置は、請求項１乃至３のいずれか一項記載の結像レンズと、前記原稿が載置される原稿台と、照明光源と、該照明光源からの光束で照明した原稿の画像情報が該結像レンズを介して結像されるリニアイメージセンサーと、を有することを特徴としている。
【手続補正６】
【補正対象書類名】明細書
【補正対象項目名】００１６
【補正方法】変更
【補正の内容】
【００１６】
請求項５の発明の結像レンズは、原稿の画像情報をリニアイメージセンサー上に結像させるための画像読取用の結像レンズにおいて、
該結像レンズは、該結像レンズ内に絞りを有し、
該結像レンズを構成する複数のレンズ面のうち該絞りと対向しない少なくとも一面は光軸に対して回転非対称な屈折力を有し、
該回転非対称な屈折力を備えたレンズ面の該結像レンズの光軸との交点を原点とし、光軸方向ｘの位置座標をｘ、該リニアイメージセンサーの読取方向ｙの位置座標をｙ、該光軸方向と該読取方向とに直交する方向ｚの位置座標をｚとしたとき、
該回転非対称な屈折力を備えたレンズ面のｘｙ断面上の該読取方向の位置座標yにおける曲率半径をＲ（ｙ）、ｘｙ平面と直交し、該読取方向の位置座標ｙにおける該回転非対称な屈折力を備えたレンズ面のｘｙ断面形状と垂直な方向の曲率半径をｒ（ｙ）とすると、
該読取方向の位置座標ｙが０から最軸外主光線の通過位置ｙ´までの範囲にあるとき、
【数７】
2000171705.tif 000007
但し、
ｆｄ  ：該結像レンズの全系のｄ線での焦点距離
Ｎｄ  ：該回転非対称な屈折力を備えたレンズの材料のｄ線についての屈折率
なる条件を満足することを特徴としている。
【手続補正７】
【補正対象書類名】明細書
【補正対象項目名】００１７
【補正方法】変更
【補正の内容】
【００１７】
請求項６の発明は請求項５の発明において、前記曲率半径Ｒ（ｙ）は前記読取方向の位置座標ｙが０から最軸外主光線の通過位置ｙ´までの間において
【数８】
2000171705.tif 000008
なる条件を満足することを特徴としている。
【手続補正８】
【補正対象書類名】明細書
【補正対象項目名】００１８
【補正方法】変更
【補正の内容】
【００１８】
請求項７の発明は請求項５又は６の発明において、前記曲率半径Ｒ（ｙ）と前記曲率半径ｒ（ｙ）は光軸上で一致することを特徴としている。
【手続補正９】
【補正対象書類名】明細書
【補正対象項目名】００１９
【補正方法】変更
【補正の内容】
【００１９】
請求項８の発明の画像読取装置は、請求項５乃至７のいずれか一項記載の結像レンズと、前記原稿が載置される原稿台と、照明光源と、該照明光源からの光束で照明した原稿の画像情報が該結像レンズを介して結像されるリニアイメージセンサーと、を有することを特徴としている。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００８３
【補正方法】変更
【補正の内容】
【００８３】
同図において結像レンズ４を構成する複数の面の一部である面を自由曲面３１、該自由曲面３１の光軸との交点を原点とし、光軸方向をｘ、読取手段（ＣＣＤ）５の読取方向をｙ、該光軸方向ｘと該読取方向ｙとに直交する方向をｚとしたとき、該自由曲面３１のｘｙ断面（平面）上で、ある該読取方向ｙにおける母線方向の曲率半径をＲ（ｙ）、該ｘｙ平面と直交し、該読取方向ｙにおけるｘｙ断面形状に垂直な方向（子線方向）の局所的な曲率半径をｒ（ｙ）とすると、
該読取方向ｙが０（軸上）から最軸外主光線３８の通過位置ｙ´までの範囲にあるとき、